(57)【要約】【課題】回転リールの点光りを防止しつつ、回転リールに光を均一に照射することで、回転リールの図柄が見えやすいように回転リールを照明することができる遊技機を提供する。【解決手段】スロットマシンＳは、外周面に複数種類の図柄が配列されている回転リール２２ａと、この回転リール２２ａの所定範囲を遊技者に視認可能とする表示窓３１と、照明部材６０と、を備え、照明部材６０は、回転リール２２ａを照明する発光素子６４を備えた照明基板６１と、発光素子６４から出射される光を反射する第一反射面６３ａと、を備え、第一反射面６３ａは、発光素子６４から出射される出射光束の中心の光を、回転リール２２ａと表示窓３１との間を通過するように反射するので、回転リール２２ａの点光りを防止しつつ、回転リール２２ａに光を均一に照射することができ、回転リール２２ａの図柄が見えやすいように回転リール２２ａを照明することができる。【選択図】図１０
2018130209.tif 000002
【特許請求の範囲】
【請求項１】
外周面に複数種類の図柄が配列されている回転リールと、この回転リールの所定範囲を遊技者に視認可能とする表示窓と、照明部材と、を備えた遊技機において、
前記照明部材は、前記回転リールを照明する発光素子を備えた照明基板と、前記発光素子から出射される光を反射する第一反射面と、を備え、
前記第一反射面は、前記発光素子から出射される出射光束の中心の光を、前記回転リールと前記表示窓との間を通過するように反射することを特徴とする遊技機。
【請求項２】
前記第一反射面は、曲面状となっており、前記発光素子から出射されて前記第一反射面に向かう光を、この光が前記回転リールと前記表示窓との間を通過するように、前記回転リールと前記表示窓との間の所定の領域に集光するようにして反射することを特徴とする請求項１に記載の遊技機。
【請求項３】
前記照明基板は、前記発光素子が、前記回転リールと逆側の方向を向くようにして配置されていることを特徴とする請求項１または２に記載の遊技機。
【請求項４】
前記発光素子から出射され、前記第一反射面で反射され、前記回転リールと前記表示窓との間を通過した光を、前記回転リールに向けて反射する第二反射部材を備えていることを特徴とする請求項１から３のいずれか１項に記載の遊技機。
【請求項５】
前記照明部材は、前記表示窓よりも上側に配置されており、
遊技を行う遊技者の目の位置から、前記回転リールの、前記表示窓を介して視認可能な範囲の上端に向かう、遊技者の視線に対して、この視線が前記回転リールに当たる部分の前記回転リール周面の法線を軸とする線対称な位置に現れる仮想線よりも後側に、前記第一反射面が配置されていることを特徴とする請求項１から４のいずれか１項に記載の遊技機。
【発明の詳細な説明】
【技術分野】
【０００１】
本発明は、回転リールを照明する照明部材を備えた遊技機に関する。
【背景技術】
【０００２】
従来から外周面に図柄が配列された複数の回転リールを備えた遊技機（回胴式遊技機、スロットマシン）が知られている。この種の遊技機は、メダルやパチンコ玉などの遊技媒体に対して一定の遊技価値を付与し、このような遊技媒体を獲得するための遊技を行うものである。また、この種の遊技機は、遊技者の回転開始操作を契機として、内部抽選を行うとともに複数の回転リールの回転を開始させ、遊技者の停止操作を契機として、内部抽選の結果に応じた態様で複数の回転リールを停止させる制御を行っている。そして、遊技の結果は、複数の回転リールが停止した状態における入賞判定ライン（有効ライン）上に表示された図柄組合せによって判定され、遊技の結果に応じてメダル等の払い出しなどが行われる。すなわち、有効ライン上に内部抽選で当選した役に対応する図柄組合せで図柄が停止すると役が入賞したことになり、メダルの払い出しなどが行われる。
【０００３】
このように、回転リールの図柄組合せと当選およびメダルの払い出しは対応しており、遊技者は回転リールの図柄に注目して遊技を行うため、回転リールを照明する照明手段は、遊技者の興を削がないようにするために重要な役割を果たす。
【０００４】
また、所望の図柄組合せを揃えるために、遊技者は、回転する回転リールの図柄を注視しながら、所定のタイミングで停止操作を行う所謂「目押し」を行うこともあり、この際に遊技者が図柄を見極めやすくするためにも、回転リールを照明する照明手段は重要となる。
【０００５】
回転リールを照明する照明手段を備えた遊技機として、例えば、特許文献１に記載のものが知られている。この遊技機は、遊技者が回転リールを視認するために回転リールの前方に設けられた表示窓の上方後側に、照明部材が設けられている。また、照明部材は、第２の発光素子群と、この第２の発光素子群の光を真下方向に向かうように反射する反射板とを備えている。そして、この反射板により反射された第２の発光素子群の光によって、回転リールが照明される。
【先行技術文献】
【特許文献】
【０００６】
【特許文献１】特開２０１３−１５３９０６
【発明の概要】
【発明が解決しようとする課題】
【０００７】
ところで、特許文献１に記載の遊技機では、回転リールの前端部が照明部材よりも前方に位置しているので、照明部材から真下方向に向かうように出射された第２の発光素子群の光は、回転リールに直接当たることとなる。すると、この光が直接当たる部分に点光りが発生したり、光が直接当たる部分が、遊技者が視認可能な回転リールの他の部分に比べて明るく照明されてしまったりして、回転リールの図柄が見えにくくなってしまうという問題がある。
【０００８】
本発明は、前記事情に鑑みてなされたもので、回転リールの点光りを防止しつつ、回転リールに光を均一に照射することができ、回転リールの図柄が見えやすいように回転リールを照明することができる遊技機を提供することを目的とする。
【課題を解決するための手段】
【０００９】
前記目的を達成するために、本発明の遊技機は、外周面に複数種類の図柄が配列されている回転リールと、この回転リールの所定範囲を遊技者に視認可能とする表示窓と、照明部材と、を備えた遊技機において、前記照明部材は、前記回転リールを照明する発光素子を備えた照明基板と、前記発光素子から出射される光を反射する第一反射面と、を備え、前記第一反射面は、前記発光素子から出射される出射光束の中心の光を、前記回転リールと前記表示窓との間を通過するように反射することを特徴とする。
【００１０】
本発明においては、照明部材の発光素子から出射された出射光束の中心の光は、第一反射面で反射され、回転リールと表示窓との間を通過する。
したがって、発光素子から出射される光のうち、光度の高い、出射光束の中心の光が、回転リールおよび表示窓に直接照射されず、また、この光が第一反射面で反射されて回転リールまたは表示窓に直接照射されることもないので、回転リールや表示窓の一部に光が集中するのを防ぎ、回転リールや表示窓に点状の光（点光り）が発生するのを防ぐことができるとともに、回転リールに光を均一に照射することができる。
また、発光素子から出射される光のうちの、光度の高い、出射光束の中心の光の向かう方向を、第一反射面によって調整しているので、光の向かう方向を調整するために、発光素子（照明基板）の配置を調整する必要がなく、発光素子（照明基板）の配置の選択の幅が広がり、遊技機の設計の自由度を高めることができる。
【００１１】
また、本発明の前記構成において、前記第一反射面は、曲面状となっており、前記発光素子から出射されて前記第一反射面に向かう光を、この光が前記回転リールと前記表示窓との間を通過するように、前記回転リールと前記表示窓との間の所定の領域に集光するようにして反射することが好ましい。
【００１２】
このような構成によれば、発光素子から出射されて第一反射部材に向かう光は、回転リールと表示窓との間の所定の領域に集中するようにして反射される。
したがって、発光素子から出射された光を回転リールと表示窓との間を通過するように集光することができるので、発光素子から出射される出射光束の中心の光以外の光についても、回転リールや表示窓の一部に光が集中するのを防ぎ、回転リールや表示窓に点光りが発生するのをより確実に防ぐことができる。また、多くの光が回転リールと表示窓との間を通過するように、光を集めることができるので、回転リールの遊技者に視認可能な部分をより明るく均一に照明することができる。
【００１３】
また、本発明の前記構成において、前記照明基板は、前記発光素子が、前記回転リールと逆側の方向を向くようにして配置されていることが好ましい。
【００１４】
このような構成によれば、発光素子から出射された出射光束の中心の光以外の、光度の高い光も、回転リールや表示窓に直接当たることがないので、回転リールや表示窓に点光りが発生するのをより確実に防ぐことができる。また、発光素子から出射された光が一旦回転リールから離れる方向に向かうので、発光素子から出射された光が拡散等して回転リールに届くまでの距離が長くなり、点光りが発生するのをより確実に防げるとともに、回転リールに光をより均一に照射することができる。
【００１５】
また、本発明の前記構成において、前記発光素子から出射され、前記第一反射面で反射され、前記回転リールと前記表示窓との間を通過した光を、前記回転リールに向けて反射する第二反射部材を備えていることが好ましい。
【００１６】
このような構成によれば、第一反射面で反射され、回転リールと表示窓との間を通過した光は、第二反射部材で反射され回転リールを照射する。
したがって、回転リールの照明部材がある側とは逆側の、発光素子から出射されて第一反射部材で反射された光が届きにくい部分にも、光を届けることができ、回転リールの遊技者に視認可能な部分全体を明るく均一に照明することができる。
【００１７】
また、本発明の前記構成において、前記照明部材は、前記表示窓よりも上側に配置されており、遊技を行う遊技者の目の位置から、前記回転リールの、前記表示窓を介して視認可能な範囲の上端に向かう、遊技者の視線に対して、この視線が前記回転リールに当たる部分の前記回転リール周面の法線を軸とする線対称な位置に現れる仮想線よりも後側に、前記第一反射面が配置されていることが好ましい。
【００１８】
遊技を行う遊技者の目の位置から回転リールに向かう視線に対して、この視線が当たる部分における回転リール周面の法線を軸とする線対称な位置に現れる線上に、第一反射面があると、この第一反射面に当たり、この第一反射面から回転リールに直接向かう発光素子からの光度の高い光が、回転リールの周面で反射して遊技者の目に届くことで、発光素子や第一反射面の形状に光る光が遊技者に見えてしまい、回転リールの視認性が低下してしまうおそれがある。しかし、本発明の構成によれば、仮想線よりも後側に第一反射面が配置されているので、第一反射面に当たった後回転リールに直接向かい、回転リールで反射され遊技を行う遊技者の目の位置に向かう発光素子からの光は、回転リールの表示窓を通して遊技者が視認可能な範囲の上端よりも上側において回転リールにより反射され、遊技者の目の位置に向かってくるので、他の部材等に遮られ、遊技者の目には届かない。したがって、遊技を行う遊技者が、表示窓を通して見ることができる範囲内において、回転リールに点光りが発生するのをより確実に防ぐことができる。
【発明の効果】
【００１９】
本発明の遊技機によれば、回転リールの点光りを防止しつつ、回転リールに光を均一に照射することができ、回転リールの図柄が見えやすいように回転リールを照明することができる。
【図面の簡単な説明】
【００２０】
【図１】本発明の実施の形態に係る遊技機の一例を示すもので、その斜視図である。
【図２】同、前扉を開いた状態の斜視図である。
【図３】同、照明部材を示す分解斜視図である。
【図４】同、保持部材を示すもので、後側から見た斜視図である。
【図５】同、保持部材を示すもので、上側から見た斜視図である。
【図６】同、照明部材を示すもので、右側から見た断面図である。
【図７】同、第一反射部材を示すもので、下側から見た斜視図である。
【図８】同、第一反射部材を示すもので、上側から見た斜視図である。
【図９】同、第一反射面と非反射面との境目の位置を説明するための図である。
【図１０】同、発光素子から出射された光の進路を説明するための図である。
【発明を実施するための形態】
【００２１】
以下、本発明の実施の形態について図面を参照して説明する。本実施の形態は本発明を遊技機の一つであるスロットマシンに適用した場合を例にとって説明するが、本発明はスロットマシンに限ることなく、その他の遊技機に適用してもよい。
なお、以下の説明においては、基本的に「前後」とは、スロットマシンの前側に遊技者が居る場合に、遊技者側が「前」で、スロットマシン側が「後」を意味し、「上下」とはスロットマシンの上面側が「上」で、下面側が「下」を意味し、「左右」とはスロットマシンを遊技する遊技者の左手側が「左」を意味し、右手側が「右」を意味する。
【００２２】
まず、発明が適用されるスロットマシンＳの概略構成について説明する。
図１はスロットマシンＳを示す斜視図、図２は前扉を開いた状態のスロットマシンＳを示す斜視図である。
このスロットマシンＳは、筐体１を備えており、この筐体１は、底板、左右の側板、天板および背板を備え、当該筐体１の正面側に開口する正面開口部を有する箱形に形成されている。なお、底板の上面には、各部品に電力を供給するための電源装置を内蔵した電源ユニット４、メダルを貯留するとともにメダルを払い出す払い出し装置としてのホッパーユニット５等が設けられている。
【００２３】
また、筐体１の正面には、筐体１の正面開口部を開閉可能に閉塞する前扉３が設けられており、この前扉３は、前記開口上部を開閉可能に閉塞する上扉３０と、前記開口下部を開閉可能に閉塞する下扉４０とを備えている。
前記筐体１内には、交換ユニット２が着脱可能に設けられている。交換ユニット２は、種々の部品を設置あるいは固定するための支持体としての枠体２１と、この枠体２１に固定されたリールユニット２２および基板ユニット２４とから構成されている。ここで、リールユニット２２は、周囲に複数の図柄を表示した３個の回転リール２２ａと、回転リール２２ａを回転させるための駆動モータ（ステッピングモータ）を有している。また、基板ユニット２４は、ＣＰＵ、ＲＯＭ、ＲＡＭ、Ｉ／Ｏ等の電子部品を備えた基板を、基板ケースに収納したものである。そして、基板ユニット２４は、スロットマシンＳの遊技を制御するための遊技制御装置として機能する。
【００２４】
図１に示すように、上扉３０の下部には表示窓３１が設けられている。この表示窓３１は上側ほど後側に向かうように水平面に対して傾斜して設けられ、この表示窓３１の奥には、前記３個の回転リール２２ａが横一列に設けられている。各回転リール２２ａの外周面には複数種類の図柄が配列されており、回転リール２２ａが停止すると表示窓３１を通して１リール当たり３個の図柄（上段図柄、中段図柄および下段図柄）が表示される。スロットマシンＳでは、横３本と斜め２本とからなる計５本の入賞有効ラインが設定されている。
そして、３個の回転リール２２ａが停止したときに入賞有効ライン上に停止した図柄の組み合わせによって当選役が入賞したか否かが表示される。
また、上扉３０の上部には、表示窓３１より大きい表示窓３２がほぼ鉛直に設けられている。この表示窓３２は上扉３０に設けられた表示ユニット２０（図２参照）の表示面を見るために設けられたものであり、この表示ユニット２０では、その表示面に遊技機における演出用の画像が表示されるようになっている。
また、上扉３０の表示窓３２の上部には、報知や演出などを行うための照明装置３４，３５，３４が左右に隣接して設けられ、表示窓３２と表示窓３１との間には報知や演出などを行うための横長の照明装置３６が設けられている。
さらに、表示窓３１の左右両側には報知や演出などを行うための照明装置３７が設けられている。
また、上扉３０の左右両側部には、報知や演出などを行うための照明装置３８が合計４個設けられている。なお、図１においては、右側の照明装置３７は右側下の照明装置３８と重なって図示されていないが、実際は右側にも左側と同様の照明装置３７が設けられている。
【００２５】
また、上扉３０は、図２に示すように、筐体１内に設けられた交換ユニット２にヒンジ３９，３９を介して回動可能に連結されることで、筐体１の開口上部を開閉するようになっている。また、下扉４０は筐体１にヒンジ３９，３９を介して回動可能に連結されることで、筐体１の開口下部を開閉するようになっている。
【００２６】
なお、このスロットマシンＳは、分離型筐体タイプの構造を有するものであり、遊技店における機種の交換時に、上扉３０が回動自在に取り付けられた交換ユニット２を交換するようになっており、機種の交換時に筐体１、下扉４０および筐体１内の電源ユニット４やホッパーユニット５等は、遊技店の島設備に取り付けられたままで、交換されないようになっている。また、スロットマシンＳは、分離型筐体タイプに限られるものではなく、機種交換時にスロットマシン全体を交換するものであってもよい。この場合に、前扉３を上扉３０と下扉４０に分けない一体の構造としてもよい。また、上扉３０と下扉４０とに分ける場合に、上扉３０を、筐体１の側板にヒンジ３９を介して回動自在に取り付けてもよい。
【００２７】
下扉４０は筐体１の開口下部を開閉可能に閉塞するための扉である。下扉４０は、外枠に中枠を嵌め込んで構成されている。
下扉４０の一方の縦方向の側縁部に下扉側蝶番が設けられている。そして、この下扉側蝶番を、筐体１の一方の側板に設けられた筐体側蝶番と係合させることで、下扉４０は、筐体１の一方の側板に回動自在に取り付けられている。また、上扉３０の下端部には、下扉４０の前面より後方側で下扉４０の上端より下側に突出する係合部が設けられ、下扉４０が閉じた状態で、上扉３０を開放することができない構造になっている。
【００２８】
また、下扉４０の上部には、スロットマシンＳを操作するための操作部５０が設けられている。操作部５０には、クレジットされたメダルを払い出すための精算スイッチ５２、ゲームを開始させるためのスタートレバー５３、回転リール２２ａの回転を停止させるためのストップスイッチ５４、メダルを投入するためのメダル投入口４２、メダル投入口４２の下方のメダル通路内で発生したメダル詰まりを解消するリジェクトボタン５５、最大数の３枚のメダルをゲームに投資するときに操作されるＭＡＸベットスイッチボタン５６等が設けられる他、遊技の演出等を選択するための操作盤５７や、表示ユニット５８が設けられている。操作盤５７は操作部５０の幅方向（左右方向）の略中央部に配置され、メダル投入口４２およびリジェクトボタン５５を挟んで、右側に表示ユニット５８が配置されている。なお、操作盤５７には、演出等の選択用の十字キー、決定ボタン、キャンセルボタン等を有している。
【００２９】
また、下扉４０の下部には、スロットマシン内部よりメダルを排出するためのメダル払い出し口と、メダル払い出し口から排出されたメダルを溜めておくためのメダル受け皿４３とが設けられている。また、操作部５０とメダル受け皿４３との間には液晶表示パネル４５が取り付けられている。また、この液晶表示パネル４５の左右両側にはそれぞれ報知や演出などを行うための照明装置４６が設けられている。
【００３０】
次に、本発明に係る照明部材等について説明する。
図２に示すように、上扉３０の裏側で、表示窓３１の上側には、回転リール２２ａを照明するための左右に長尺な照明部材６０が設けられている。
また、図３に示すように、照明部材６０は、ＬＥＤ６４を備える照明基板６１と、この照明基板６１を保持する保持部材６２と、第一反射部材６３と、を備えている。保持部材６２は、黒色の合成樹脂により一体的に成形されており、ＬＥＤ６４からの光をほとんど反射しないようになっている。また、第一反射部材６３は、白色の合成樹脂により一体的に成形されており、ＬＥＤ６４からの光を所定の方向に反射させることができるようになっている。
【００３１】
照明基板６１は、左右に長尺な帯板状となっている。また、照明基板６１の上面６１ａにはＬＥＤ６４（発光素子）が、照明基板６１の長手方向に沿って一列に所定間隔で複数個設けられている。また、照明基板６１の下面６１ｂの左右両端部には、照明基板６１に電気を供給するハーネスを接続するための接続部６５がそれぞれ一つずつ設けられている。
なお、ＬＥＤ６４は本実施の形態においては、チップＬＥＤを用いているが、これに限られず、例えば砲弾型ＬＥＤ等他の形状のＬＥＤやその他の発光素子であっても構わない。また、照明基板６１は、複数に分かれていてもよい。
【００３２】
保持部材６２は、図４および図５に示すように、保持部７０と非反射部７１とを備えている。また、保持部７０は、左右に長尺で筐体１の底板に略平行となる下面板７２と、この下面板７２の後縁から後側斜め上方に向けて延びる左右に長尺な斜面板７３と、この斜面板７３の後縁から上方に向けて延びる左右に長尺な背面板７４と、を備えている。また、保持部材６２は、下面板７２および斜面板７３の左右両側縁それぞれから上方に向けて延びる２つの側面板７５を備えている。また、側面板７５の前端は、下面板７２の前端よりも前方に位置しており、左右の側面板７５の前端部を繋ぐようにして非反射部７１が設けられている。また、背面板７４と２つの側面板７５の上端面は、面一となっており、非反射部７１の上端部は、これらの面よりも上方に突出している。
【００３３】
下面板７２には、照明基板６１の前縁部を係止するための４つの係止部８０が、下面板７２の上面前寄りの部分から上方に突出するようにして、それぞれ左右に離間して設けられている。また、係止部８０は、後方斜め上方に向けて、略コ字状に開口する開口部８０ａを備えている（図６参照）。また、斜面板７３には、照明基板６１を支持するための４つの基板支持部８１が、上面後ろ寄りの部分から上方に突出するようにして、それぞれ左右に離間して設けられている。また、基板支持部８１は、照明基板６１の下面６１ｂと当接し、照明基板６１を支持する基板支持面８１ａを、上部に備えている（図６参照）。また、基板支持面８１ａは、開口部８０ａよりも上方に位置している（図６参照）。
また、斜面板７３および背面板７４の左右両端部にはそれぞれ、接続部６５を挿入して露出させるための（照明基板６１にハーネスを接続するための）切欠部７７が、背面板７４から斜面板７３にかけて切り欠くようにして設けられている。
【００３４】
照明基板６１は、図６に示すように、照明基板６１の前縁部の対応する部分がそれぞれ４つの係止部８０の開口部８０ａに挿入され、照明基板６１の前端が前方あるいは下方に滑り落ちないよう係止されるとともに、照明基板６１の前端が上方に向けて動かないように動きが制限されている。また、照明基板６１は、下面６１ｂの後寄りの部分が、基板支持面８１ａと当接することにより、基板支持部８１によって支持されている。また、照明基板６１の左右それぞれの端面は、保持部材６２の左右の側面板７５それぞれの内面と当接または近接しており、これにより、照明基板６１の左右への動きが制限されている。以上により、照明基板６１は、ＬＥＤ６４が設けられた上面６１ａを、前方斜め上方に向けた状態で、保持部材６２の保持部７０によって保持されている。
【００３５】
斜面板７３には、図５に示すように、上方に突出するようにして、ネジ孔を備えるボス８２が、左右両端部にそれぞれ１つずつ背面板７４および側面板７５と一体的に設けられている。
また、背面板７４には、第一反射部材６３を係止するための３つの穴（反射部材係止部８３）が左右に離間して設けられている。また、左右それぞれの側面板７５の上端部から、それぞれ左右方向外側に向けて突出するようにして、穴を有する突出部である、第一反射部材６３を係止するための反射部材係止部８４が設けられている。
【００３６】
非反射部７１は、左右方向に真っ直ぐで、上側から下側に向かうにつれて後側から前側に向かう曲面板状となっている。また、非反射部７１は、図６に示すように、その内側の面である凹曲面状の非反射面７１ａを、保持部７０によって保持されている照明基板６１の上面、すなわち、ＬＥＤ６４側に向けるようにして配置されており、側面板７５を介して保持部７０と一体的に形成されている。また、非反射面７１ａには、シボ加工が施されている。そして、非反射面７１ａに当たった光は、散乱または吸収されるようになっている。また、非反射部７１の下端は、下面板７２の下端よりもわずかに下方に突出（または、略一致）しており、非反射部７１と下面板７２の前端との間には所定の間隔が設けられている。そして、この非反射部７１と下面板７２の前端との間を、第一反射部材６３で反射された光が通過するようになっている。
【００３７】
また、保持部材６２には、図４および図５に示すように右側の側面板７５の前よりの部分から、右側かつ下側に突出するようにして、ネジを挿通するためのネジ挿通孔を備える取付部８５が設けられている。また、左側の側面板７５の前よりの部分から、左側に突出するようにして、ネジを挿通するためのネジ挿通孔を備える取付部８５が設けられている。そして、保持部材６２は、これらの取付部８５のネジ挿通孔に挿通されたネジが、上扉３０の所定部分にねじ込まれることで、上扉３０に固定されている。
【００３８】
第一反射部材６３は、図７および図８に示すように、左右に長尺な部材であって、ＬＥＤ６４からの光を反射するための第一反射面６３ａを備えている。第一反射面６３ａは、左右方向に真っ直ぐで、上側から下側に向かうにつれて、前側から後側に向かう凹曲面状となっており、保持部材６２によって保持されている照明基板６１の上面、すなわち、ＬＥＤ６４側を向くようにして、配置されている（図６参照）。また、第一反射部材６３は、第一反射面６３ａの後端縁から後側斜め下方向に向けて延びる照明基板抑部８９を備えている。
なお、第一反射面６３ａは、凹曲面状ではなく、例えば、平面状等であってもよく、所定の方向に光を反射させることができるようになっていればよい。
【００３９】
また、第一反射部材６３は、前端部に、前側の開口面積を広げるようにして突出した、断面コ字状でコ字の開口部を下側に向けた突出部である、覆部９０を備えている。また、第一反射部材６３は、左右両側面それぞれから、下側に向けて突出する２つの側部側凸条部９１を備えている。また、第一反射部材６３は、後部から下側に向けて突出する後部側凸条部９２を備えている。
また、第一反射部材６３の後端部には、後端部から、下側に向けて突出する係止片９３が、左右に離間して、３つ設けられている。また、第一反射部材６３の左右両端部には、それぞれ、下方に向けて突出する係止片９４が１つずつ設けられている。また、第一反射部材６３の後端部であって、左右両端部には、ネジを挿通するためのネジ挿通孔９５がそれぞれ１つずつ設けられている。
【００４０】
そして、第一反射部材６３は、３つの係止片９３のそれぞれが、保持部材６２の３つの反射部材係止部８３のそれぞれに係止されるとともに、左右の係止片９４のそれぞれが、保持部材６２の左右の反射部材係止部８４のそれぞれに係止されることで、保持部材６２に取り付けられている。また、第一反射部材６３は、左右それぞれのネジ挿通孔９５に挿通されたネジが、保持部材６２の左右のボス８２それぞれのネジ孔と螺合することにより、保持部材６２に固定されている。
また、第一反射部材６３の２つの側部側凸条部９１および後部側凸条部９２は、それぞれ、保持部材６２の左右の側面板７５または背面板７４の内面に沿うようにして、保持部材６２に挿入されている（図６参照）。また、第一反射部材６３の覆部９０は、非反射部７１の後端部の外面を覆った状態となっている（図６参照）。言い換えると、保持部材６２と第一反射部材６３とは、互いに一部が重複するようにして接合されており、保持部材６２と第一反射部材６３との接合部からＬＥＤ６４の光が漏れないようになっている。このため、ＬＥＤ６４から出射された光は、ほぼすべて保持部材６２の非反射部７１と下面板７２の前端との間から、照明部材６０の外に出るようになっている。
【００４１】
また、照明基板抑部８９は、図６に示すように、照明基板６１の後端部に当接または近接した状態となっており、照明基板６１の後端部が上下に揺動するのを防ぐとともに、照明基板６１が後側に向けてスライドし、照明基板６１の前端部が係止部８０から抜け落ちるのを防ぐようになっている。すなわち、照明基板６１は、前端部の動きが保持部材６２の係止部８０によって制限されるとともに、後端部が保持部材６２の基板支持部８１と第一反射部材６３の照明基板抑部８９によって挟まれることで後端部の動きが制限された状態となっており、保持部材６２から照明基板６１が外れないようになっている。
【００４２】
また、第一反射部材６３の第一反射面６３ａと、保持部材６２の非反射面７１ａとは、滑らかな１つの曲面を形成するように隣接している。ここで、この第一反射面６３ａと非反射面７１ａとの境目Ｐの位置について図９を参照しながら説明する。
なお、前述のように、回転リール２２ａが停止すると表示窓３１を通して１リール当たり３個の図柄（上段図柄、中段図柄および下段図柄）が表示されるが、このとき、上段部分に表示される上段図柄の図柄範囲Ｘ、中段部分に表示される中段図柄の図柄範囲Ｙおよび下段部分に表示される下段図柄の図柄範囲Ｚを参考として図９に示す。
遊技を行う、平均的な体格を有する遊技者の目の位置をアイポイントＥとすると、アイポイントＥから回転リール２２ａの表示窓３１を通して視認可能な範囲の上端に向かう遊技者の視線は図９に示す直線Ｌのようになる。そして、この直線Ｌが回転リール２２ａとぶつかる点を点Ｍとすると、この点Ｍにおける回転リール２２ａの周面に対する法線は、線Ｎのようになる。そして、直線Ｌ（視線）と線Ｎ（法線）を軸とする線対称な位置に現れる仮想線（基準線）は、線Ｏのようになる。そして、第一反射面６３ａと非反射面７１ａとの境目Ｐは、この線Ｏよりも後方、すなわち、遊技者から離れた側に位置するようになっている。言い換えると、境目Ｐは、アイポイントＥから回転リール２２ａの表示窓３１を通して視認可能な範囲の上端（すなわち、上段図柄の一個上の図柄。いわゆる枠上図柄。）に向かう遊技者の視線を、回転リール２２ａの周面の接線Ｑで反射させたときの、この反射後の視線の軌跡を示す直線よりも後方に位置している。
【００４３】
また、図２に示すように、上扉３０の裏側で、表示窓３１の下部には、左右に長尺な第二反射部材１００が設けられている。また、第二反射部材１００は、第一反射面６３ａで反射されて第二反射部材１００に向かってくるＬＥＤ６４の光を回転リール２２ａに向けて反射させるための、左右に長尺な長方形型の平板状の第二反射面１００ａを備え、この第二反射面１００ａを回転リール２２ａおよび第一反射面６３ａ側に向けた状態となっている。
【００４４】
次に、ＬＥＤ６４から出射される光の進み方について図１０を参照しながら説明する。
ＬＥＤ６４から出射される出射光束の中心の光、すなわち、ＬＥＤ６４から出射される光の中で一番強い光である、ＬＥＤ６４（照明基板６１）から垂直に出射される光は、第一反射部材６３の第一反射面６３ａに向かい、第一入射光Ａ１として第一反射面６３ａに当たる。そして、この第一反射面６３ａに当たった第一入射光Ａ１は、第一反射面６３ａで第一反射光として反射され、回転リール２２ａと表示窓３１との間を、回転リール２２ａおよび表示窓３１に当たることなく通過して第二反射部材１００の第二反射面１００ａに向かい、第二入射光Ｂ１として第二反射面１００ａに当たる。そして、この第二反射面１００ａに当たった第二入射光Ｂ１は、第二反射面１００ａで第二反射光Ｃ１として反射され、回転リール２２ａに向かい、回転リール２２ａの表示窓３１を介して遊技者が視認可能な部分の下側部分に当たる。
【００４５】
また、ＬＥＤ６４から出射される出射光束の中心の光からわずかにずれた光、すなわち、ＬＥＤ６４から出射される光のうちの相対的に光度の高い光である、ＬＥＤ６４（照明基板）に垂直な方向に対して若干角度をもった方向に出射される光は、第一反射部材６３の第一反射面６３ａに向かい、第一入射光Ａ２として第一反射面６３ａに当たる。そして、この第一反射面６３ａに当たった第一入射光Ａ２は、第一反射面６３ａで第一反射光として反射され、回転リール２２ａと表示窓３１との間を、回転リール２２ａおよび表示窓３１に当たることなく通過して第二反射部材１００の第二反射面１００ａに向かい、第二入射光Ｂ２として第二反射面１００ａに当たる。すなわち、ＬＥＤ６４から垂直に出射された光と、この光に対して若干角度をもって出射された光とは、それぞれの光が回転リール２２ａと表示窓３１との間を通過するように、回転リール２２ａと表示窓３１との間の所定の領域（例えば、表示窓３１と回転リール２２ａとの間隔が一番狭くなる領域）に集光され、この所定の領域を通過して第二反射面１００ａに向かうように、第一反射面６３ａで反射される。そして、第二反射面１００ａに当たった第二入射光Ｂ２は、第二反射面１００ａで第二反射光Ｃ２として反射され、回転リール２２ａに向かい、回転リール２２ａの表示窓３１を介して遊技者が視認可能な部分の下側部分に当たる。
【００４６】
また、ＬＥＤ６４から出射される光のうちのその他の光も、第一反射面６３ａに向かった光は、第一反射面６３ａで反射され、回転リール２２ａと表示窓３１との間を、回転リール２２ａおよび表示窓３１に当たることなく通過して第二反射面１００ａに向かい、第二反射面１００ａで反射され、回転リール２２ａの表示窓３１を介して遊技者が視認可能な部分の下側部分に当たる。
【００４７】
このような構成の遊技機においては、照明部材６０のＬＥＤ６４から出射された光のうち、出射光束の中心の光は、第一反射部材６３の第一反射面６３ａで反射され、回転リール２２ａと表示窓３１との間を通過する。
したがって、ＬＥＤ６４から出射される光のうち、光度の高い、出射光束の中心の光等が回転リール２２ａおよび表示窓３１に直接照射されず、また、これらの光が第一反射面６３ａで反射されて回転リール２２ａまたは表示窓３１に直接照射されることもないので、回転リール２２ａや表示窓３１の一部に光が集中するのを防ぎ、回転リール２２ａや表示窓３１に点状の光（点光り）が発生するのを防ぐことができるとともに、回転リール２２ａに光を均一に照射することができる。
また、ＬＥＤ６４から出射される光のうちの、光度の高い、出射光束の中心の光の向かう方向を、第一反射部材６３によって調整しているので、光の向かう方向を調整するために、ＬＥＤ６４（照明基板６１）の配置を調整する必要がなく、ＬＥＤ６４（照明基板６１）の配置の選択の幅が広がり、遊技機の設計の自由度を高めることができる。
【００４８】
また、第一反射部材６３は、光を反射する第一反射面６３ａが曲面状となっており、ＬＥＤ６４から出射される出射光束の中心の光以外の光も、回転リール２２ａと表示窓３１との間を通過するように、光を回転リール２２ａと表示窓３１との間の所定の領域に集光するようにして反射する。
したがって、ＬＥＤ６４から出射された光を回転リール２２ａと表示窓３１との間を通過するように集光することができるので、ＬＥＤ６４から出射される出射光束の中心の光以外の光についても、回転リール２２ａや表示窓３１の一部に光が集中するのを防ぎ、回転リール２２ａや表示窓３１に点状の光（点光り）が発生するのを防ぐことができる。また、多くの光が回転リール２２ａと表示窓３１との間を通過するように、光を集めることができるので、回転リール２２ａの遊技者に視認可能な部分をより明るく均一に照明することができる。
【００４９】
また、照明基板６１は、ＬＥＤ６４が、回転リール２２ａと逆側の方向を向くようにして配置されているので、ＬＥＤ６４から出射される出射光束の中心の光以外の光、特にこの中において相対的に光度の高い光も、回転リール２２ａや表示窓３１に直接当たることがないので、回転リール２２ａや表示窓３１に点光りが発生するのをより確実に防ぐことができる。また、ＬＥＤ６４から出射された光が一旦回転リール２２ａから離れる方向に向かうので、ＬＥＤ６４から出射された光が拡散等して回転リール２２ａに届くまでの距離が長くなり、点光りが発生するのをより確実に防げるとともに、回転リール２２ａに光をより均一に照射することができる。
なお、本実施の形態の遊技機においては、照明部材６０を表示窓３１の上側に設け、第二反射部材１００を表示窓３１の下側に設けたが、照明部材６０を表示窓３１の下側に設け、第二反射部材１００を表示窓３１の上側に設けてもよい。また、この場合に、照明部材６０を、表示窓３１に垂直で左右に延びる面を基準として上下反転させるようにして配置し、ＬＥＤ６４が下斜め前方を向くようにしてもよい。
【００５０】
また、ＬＥＤ６４から出射され、第一反射部材６３で反射され、回転リール２２ａと表示窓３１との間を通過した光を、回転リール２２ａに向けて反射する第二反射部材１００を備えているので、回転リール２２ａの照明部材６０がある側とは逆側の、ＬＥＤ６４から出射されて第一反射部材６３で反射された光等が届きにくい部分にも、第二反射部材１００によって光を届けることができ、回転リール２２ａの遊技者に視認可能な部分全体を明るく均一に照明することができる。
【００５１】
また、照明部材６０は、表示窓３１よりも上側に配置されており、アイポイントＥから、回転リール２２ａの表示窓３１を通して視認可能な範囲の上端に向かう、遊技者の視線Ｌに対して、この視線Ｌが回転リール２２ａに当たる部分の回転リール２２ａ周面の法線Ｎを軸とする線対称な位置に現れる仮想線Ｏよりも後側に、第一反射面６３ａと非反射面７１ａとの境目Ｐがあり、この仮想線Ｏよりも後側に第一反射面６３ａが配置されている。
アイポイントＥから回転リール２２ａに向かう視線を、この視線が当たる部分における回転リール２２ａ周面の法線を中心として折り返して現れる線上に、回転リール２２ａに向けて直接光を照射するＬＥＤ６４があると、ＬＥＤ６４からの光度の高い光が、回転リール２２ａの周面で反射して遊技者の目に届くことで、粒状に光るＬＥＤ６４が見えてしまい、回転リール２２ａの視認性が低下してしまうおそれがある。また、本実施の形態の遊技機においては、ＬＥＤ６４からの光は、第一反射部材６３で反射されて回転リール２２ａの方向へ向かうので回転リール２２ａに向けてＬＥＤ６４から直接光は照射されないが、第一反射面６３ａの、ＬＥＤ６４から出射される出射光束の中心付近の光等の光度の高い光が入射する部分等は、この入射した光を反射、拡散するので、強く光り、疑似的に光源として働く。したがって、アイポイントＥから回転リール２２ａに向かう視線を、この視線が当たる部分における回転リール２２ａ周面の法線を中心として折り返して現れる線上に、第一反射面６３ａがあると、疑似光源としての第一反射面６３ａからの光度の高い光が、回転リール２２ａの周面で反射して遊技者の目に届くことで、ＬＥＤ６４や第一反射面６３ａの形状に光る光が見えてしまい、回転リール２２ａの視認性が低下してしまうおそれがある。
【００５２】
本実施の形態の遊技機においては、仮想線Ｏよりも後側に第一反射面６３ａが配置されており、アイポイントＥから見たときに、疑似光源としての第一反射面６３ａから出射されて回転リール２２ａに直接向かい、回転リール２２ａで反射されてアイポイントＥに向かってくる光は、回転リール２２ａの表示窓３１を通して遊技者が視認可能な範囲の上端よりも上側において回転リール２２ａに当たるようになっており、表示窓３１を通して遊技者が視認可能な範囲の上端よりも下側にはこの光が当たらないようになっている。このように、アイポイントＥから見たときに、疑似光源としての第一反射面６３ａから出射されて回転リール２２ａに直接向かい、回転リール２２ａで反射されてアイポイントＥに向かってくる光は、遊技者にとって視認できない位置で回転リール２２ａに当たり反射されるので、この光は前扉３等に遮られアイポイントＥまでは届かず、遊技者からは見えない。したがって、表示窓３１を通して見える範囲内において、回転リール２２ａに点光りが発生するのをより確実に防ぐことができる。
なお、アイポイントＥから、回転リール２２ａの上段図柄の図柄範囲Ｘの上端に向かう、遊技者の視線に対して、この視線が回転リール２２ａに当たる部分の回転リール２２ａ周面の法線を軸とする線対称な位置に現れる仮想線よりも後側に、第一反射面６３ａと非反射面７１ａとの境目Ｐを配置し、この仮想線よりも後側に第一反射面６３ａが配置されることとしてもよい。このようにすることで、アイポイントＥから見たときに、疑似光源としての第一反射面６３ａから出射されて回転リール２２ａに直接向かい、回転リール２２ａで反射されてアイポイントＥに向かってくる光は、回転リール２２ａの上段図柄の図柄範囲Ｘの上端よりも上側において、回転リール２２ａに当たり、上段図柄の図柄範囲Ｘの上端よりも下側には、この光が当たらないようにすることができる。上段図柄範囲Ｘの上端よりも上側の部分は、役の入賞等に関わる上段図柄範囲Ｘよりも上であり、遊技に大きく関わる上段図柄、中段図柄および下段図柄の範囲に点光りが発生するのを防ぐことができるので、このような構成としても、遊技における視認性を向上させることができる。
【００５３】
また、境目Ｐおよび仮想線Ｏよりも前側には、非反射部７１の非反射面７１ａが配置されている。よって、ＬＥＤ６４から出射されて仮想線Ｏよりも前側に来た光は非反射面７１ａに当たり、ほとんど反射されない。これにより、第一反射面６３ａ以外の部分にＬＥＤ６４からの光が当たり、この部分が疑似光源として働くことで、回転リール２２ａの表示窓３１を通して遊技者に視認可能な部分、特に回転リール２２ａの上段図柄、中段図柄および下段図柄の図柄範囲に点光り等が発生するのをより確実に防ぐことができる。すなわち、非反射面７１ａは、ＬＥＤ６４からの光を反射してしまうと、回転リール２２ａの表示窓３１を通して遊技者に視認可能な部分、特に回転リール２２ａの上段図柄、中段図柄および下段図柄の図柄範囲に点光り等を発生させてしまう部分に設けられており、この部分に向かってきた光を吸収または拡散させることで、遊技者に視認可能な部分に点光り等が発生するのを防いでいる。また、非反射部７１があることにより、ＬＥＤ６４からの光が、例えば前扉３等、第一反射部材６３以外の部材に当たり予期せぬ反射等が発生して点光り等が発生するのを防ぐことができる。
【００５４】
なお、本実施の形態の遊技機において、照明部材６０は、保持部材６２と第一反射部材６３とを備え、保持部材６２は、非反射部７１を備えることとしたが、これらのうち、どの部材あるいは部分同士を一体的に形成し、どの部材あるいは部分を別個の部材として存在させることとするかは任意である。また、これらの素材は、合成樹脂に限られるものではなく、例えば、金属製や木製等であってもよい。
また、非反射面７１ａは、黒色の合成樹脂で作られ、シボ加工が施されることにより、光を所定の方向に反射しにくいものとなっているが、第一反射面６３ａよりも光を反射しにくいものとなっていれば、この他の素材により作られていたり、シボ加工とは異なる加工が施されていたりしてもよい。
【符号の説明】
【００５５】
２２ａ  回転リール
３１  表示窓
６０  照明部材
６１  照明基板
６３ａ  第一反射面
６４  ＬＥＤ（発光素子）
１００  第二反射部材
Ｅ  アイポイント
Ｌ  視線
Ｎ  法線
Ｏ  仮想線
【図１】
2018130209.tif 000003
【図２】
2018130209.tif 000004
【図３】
2018130209.tif 000005
【図４】
2018130209.tif 000006
【図５】
2018130209.tif 000007
【図６】
2018130209.tif 000008
【図７】
2018130209.tif 000009
【図８】
2018130209.tif 000010
【図９】
2018130209.tif 000011
【図１０】
2018130209.tif 000012